(57)【特許請求の範囲】
【請求項１】
回路基板と、
前記回路基板に配置され、駆動軸が前方に延びる計器本体と、
前記駆動軸の先端側に装着される指針と、
前記指針と前記回路基板との間に配置され、前記指針に対応する表示部を有する前面パネルと、
前記表示部の直下に位置し、前記回路基板の前記前面パネルと対向する面に配置され、少なくとも前記表示部を照明する光源と、
前記前面パネルと前記回路基板との間に配置される反射体と、を備え、
前記反射体は、
前記駆動軸の軸方向において前記光源と対向し、前記光源からの照明光を前記光源の位置から遠方へと反射導光可能とする第１の反射部と、
前記第１の反射部よりも前記回路基板に近接して配置され、前記第１の反射部で反射された前記光源からの照明光を前記前面パネル側に向けて反射導光可能とする第２の反射部と、
前記第１の反射部よりも前記駆動軸を中心として半径方向外側に設けられ、前記光源からの照明光を前記第１の反射部の前記前面パネルと対向する面に向けて反射導光可能とする第３の反射部と、を備える、
ことを特徴とする計器装置。
【請求項２】
前記駆動軸を中心とする半径方向において前記第１の反射部と前記第３の反射部との間に設けられる外周壁部をさらに備え、
前記外周壁部は、前記第３の反射部で反射された前記光源からの照明光を、前記第１の反射部の前記前面パネルと対向する面へ導く開口部が形成されている、
ことを特徴とする請求項１に記載の計器装置。
【請求項３】
前記第３の反射部は、前記駆動軸と垂直な面において円弧状に形成されている、
ことを特徴とする請求項１または２に記載の計器装置。
【請求項４】
前記反射体の表面の少なくとも一部に反射光を拡散させる粗面が形成されている、
ことを特徴とする請求項１乃至３のいずれか１項に記載の計器装置。
【発明の詳細な説明】
【技術分野】
【０００１】
本発明は、車両に搭載される計器装置に関し、特にその照明構造に関する。
【背景技術】
【０００２】
従来、車両に搭載される計器装置として、特許文献１に開示されているものが知られている。この計器装置は、回路基板と、この回路基板に配置され駆動軸が前方に延びる計器本体と、駆動軸の先端側に装着される指針と、この指針と回路基板との間に配置され指針に対応する表示部を有する前面パネルと、表示部の直下に位置し回路基板の表面側に配置され少なくとも表示部を照明する光源と、前面パネルと回路基板との間に配置される反射体とを備えている。そして、この反射体は、駆動軸の軸方向において光源と対向し光源からの照明光を外周に反射する第１の反射部と、第１の反射部の下方側に設けられ、光源からの照明光を前面パネル側に反射する第２の反射部とを備えている。
【先行技術文献】
【特許文献】
【０００３】
【特許文献１】特開２００１−１７４２９３号公報
【発明の概要】
【発明が解決しようとする課題】
【０００４】
しかし、特許文献１に記載の計器装置は、計器本体と表示部との位置関係によっては表示部の直下に光源を配置することがあり、この場合には表示部への過度な照射光を抑制するために表示部と光源との間に第１の反射部を配置する必要がある。このような場合には、表示部の第１の反射部の上方にある部分については輝度が低くなり、表示部の輝度にムラが生じるおそれがある。
【０００５】
本発明はかかる問題点に鑑みてなされたものであって、輝度のムラの発生を抑制することが可能な計器装置を提供することを目的とする。
【課題を解決するための手段】
【０００６】
上記目的を達成するため、本発明の第１の観点に係る計器装置は、
回路基板と、
前記回路基板に配置され、駆動軸が前方に延びる計器本体と、
前記駆動軸の先端側に装着される指針と、
前記指針と前記回路基板との間に配置され、前記指針に対応する表示部を有する前面パネルと、
前記表示部の直下に位置し、前記回路基板の前記前面パネルと対向する面に配置され、少なくとも前記表示部を照明する光源と、
前記前面パネルと前記回路基板との間に配置される反射体と、を備え、
前記反射体は、
前記駆動軸の軸方向において前記光源と対向し、前記光源からの照明光を前記光源の位置から遠方へと反射導光可能とする第１の反射部と、
前記第１の反射部よりも前記回路基板に近接して配置され、前記第１の反射部で反射された前記光源からの照明光を前記前面パネル側に向けて反射導光可能とする第２の反射部と、
前記第１の反射部よりも前記駆動軸を中心として半径方向外側に設けられ、前記光源からの照明光を前記第１の反射部の前記前面パネルと対向する面に向けて反射導光可能とする第３の反射部と、を備えることを特徴とする。
【０００７】
前記駆動軸を中心とする半径方向において前記第１の反射部と前記第３の反射部との間に設けられる外周壁部をさらに備え、
前記外周壁部は、前記第３の反射部で反射された前記光源からの照明光を、前記第１の反射部の前記前面パネルと対向する面へ導く開口部が形成されていてもよい。
【０００８】
前記第３の反射部は、前記駆動軸と垂直な面において円弧状に形成されていてもよい。
【０００９】
前記反射体の表面の少なくとも一部に反射光を拡散させる粗面が形成されていてもよい。
【発明の効果】
【００１０】
本発明によれば、輝度のムラの発生を抑制することが可能な計器装置を提供できる。
【図面の簡単な説明】
【００１１】
【図１】本発明の実施形態に係る計器装置の外観と、一部断面を示す正面図である。
【図２】図１の切断線Ａ−Ａにおける断面図である。
【図３】反射体の拡大斜視図である。
【発明を実施するための形態】
【００１２】
以下に本発明の実施形態を図を参照して説明する。本実施形態に係る計器装置１は、図１にその外観の一例を示すように、計器装置１の各種部品を収納するための外ケース１０と、外ケースの前面を覆う前面パネル２０と、前面パネル２０の前面に配置される指針３０（３０ａ〜３０ｃ）と、を備える。
【００１３】
前面パネル２０は、例えば合成樹脂から薄板状に形成され、光を透過することが可能な表示部２１（２１ａ〜２１ｆ）を備える。表示部２１は、指針３０の回動軌道に沿ってその指示対象となるべく環状に配置された目盛や文字、マーク等を有する。そして、例えば指針３０による目盛の指示、またはマークの点灯又は消灯により、表示部２１は車両速度や燃料残量など各種の車両情報を表示する。
【００１４】
指針３０（３０ａ〜３０ｃ）は、光の供給を受けて発光する発光指針から構成されており、透光性合成樹脂からなる指示部３１（３１ａ〜３１ｃ）と、指示部３１の回動中心部外周を覆うカバー３２（３２ａ〜３２ｃ）とから構成される。指示部３１は、前面パネル２０に沿うように線状に延びる。
【００１５】
次に計器装置１の内部構成について説明する。図１に表示部２１ｃの後方側の一部断面図（なお、図１において、ここに位置する指針部３１は点線で表現されている。）、図２に図１の表示部２１ａの切断線Ａ−Ａにおける断面図を示す。なお、表示部２１ａ及び表示部２１ｃの後方側の構成は、同様の構成要素が左右対称の配置されているため、以下では同様の構成要素について同じ符号を用いて説明する。図２に示すように、計器装置１は、回路基板４０と、回路基板４０に導通固定された駆動軸５１が前方に延びる計器本体５０と、駆動軸５１の先端側に装着される指針３０と、指針３０と回路基板４０との間に配置される前面パネル２０と、回路基板４０の前面に配置される光源６０と、前面パネル２０と回路基板４０との間に配置され前面パネル２０を載置する中ケース７０と、を備える。
【００１６】
回路基板４０は、例えば紙フェノールやガラス繊維入り樹脂を基材として所定の配線パターンが設けられ、計器本体５０の駆動・制御を行う駆動手段（図示せず）や各種電子部品（光源６０を含む）が実装された基板である。
【００１７】
計器本体５０は、交差コイル式本体やステッピングモータ式本体から構成される。計器本体５０は、駆動軸５１が回路基板４０に形成された軸孔４１を貫通するように、回路基板４０の背後に装着され、ハンダ付け等により回路基板４０の配線パターン（駆動手段）に電気的に接続されている。
【００１８】
光源６０は、回路基板４０の前面に配置された例えばチップ型発光ダイオードから構成され、少なくとも表示部２１を照明する。
【００１９】
中ケース７０は、ポリプロピレン等の白色系の合成樹脂から形成され、光源６０からの光を反射して表示部２１を照射する反射体７１を有する。反射体７１は、第１の反射部７１ａと、第２の反射部７１ｂと、第３の反射部７１ｃと、から構成される。また、中ケース７０は、第１の反射部７１ａの前面パネル２０と対向する面で反射させる照明光を取り込むための第１の開口部７５及び第２の開口部７６を有する。また、中ケース７０には、光源６０により前面パネル２０の表示部２１を照明するための照明室７０ａが、第１の反射部７１ａと、第２の反射部７１ｂと、外周壁部７２と、内周壁部７３と、側壁部７４ａ、７４ｂと、前面パネル２０とにより形成されている。
【００２０】
第１の反射部７１ａは、駆動軸５１の軸方向において光源６０と対向して配置される。第１の反射部７１ａは、光源６０からの光が直接表示部２１を照射することを防ぐため、光源６０を覆うように配置される。第１の反射部７１ａは、例えば図１の部分断面図及び図３の斜視図に示すように、中ケース７０の外周壁部７２から駆動軸５１に向かって延出する薄板半円形状である。また、第１の反射部７１ａは、その光源６０と対向する面で光源６０からの照明光を光源６０の設置位置から遠方へと反射導光するように設けられている。また、第１の反射部７１ａは、その前面パネル２０と対向する面で後述する第２の開口部７６から照射される照明光を前面パネル２０側に向けて反射導光するように設けられている。
【００２１】
第２の反射部７１ｂは、第１の反射部７１ａの後方側、すなわち第１の反射部７１ａよりも回路基板４０に近接するように配置され、第１の反射部７１ａで反射された照明光を前面パネル２０に反射する。第２の反射部７１ｂは、例えば図２及び図３に示すように、内周壁部７３の第１の反射部７１ａの駆動軸５１方向の位置よりも低い位置から外周壁部７２まで傾斜して延びている。また、第２の反射部７１ｂの第１の反射部７１ａと重なる領域には、光源６０からの照明光を照明室７０ａ内に取り入れるための第３の開口部７７が形成されている。
【００２２】
第１の開口部７５は、光源周壁部７８と第１の反射部７１ａとによって画成され、回路基板４０に向かって開口し、光源６０からの照明光を取り込む。光源周壁部７８は、光源６０を中心として円弧状に形成された側壁部であり、第１の反射部７１ａよりも駆動軸５１を中心として半径方向外側に配置される。
【００２３】
第３の反射部７１ｃは、第１の開口部７５から取り込まれた照明光を第２の開口部７６に向かって、すなわち第１の反射部７１ａの前面パネル２０と対向する面に向かって反射する。第３の反射部７１ｃは、光源周壁部７８の前面パネル側部分と連続して形成され、第１の反射部７１ａよりも駆動軸５１を中心として半径方向外側に配置される。また、第３の反射部７１ｃは、光源６０からの照明光を第１の反射部７１ａの前面パネルと対向する面に反射するために、第１の反射部７１ａの前面パネルと対向する面に向かって傾斜するように形成されている。また、第３の反射部７１ｃは、駆動軸５１方向と垂直な面において円弧状に形成されている。すなわち、第３の反射部７１ｃは、光源周壁部７８の側壁部に倣って円弧形状に形成されている。
【００２４】
第２の開口部７６は、外周壁部７２と第１の反射部７１ａとによって画成され、駆動軸５１に向かって開口し、第３の反射部７１ｃにより反射された照明光を取り込む。
【００２５】
以上のように構成される計器装置１における照明光の光路について図２を用いて説明する。光源６０が発光すると、その照明光は、第１の反射部７１ａにより反射される。反射された照明光の一部は、図２の矢印Ａが示すように、第２の反射部７１ｂの前面パネル２０と対向する面によりさらに反射されて前面パネル２０を照射する。また、第１の反射部７１ａにより反射された照明光の別の一部は、図２の矢印Ｂが示すように、第１の開口部７５を通り、第３の反射部７１ｃにより反射される。そして第３の反射部７１ｃにより反射された照明光は、第２の開口部７６を通り、第１の反射部７１ａの前面パネル２０と対向する面により反射される。そして反射された照明光は、前面パネル２０を照射する。
【００２６】
以上説明したように、本実施形態に係る計器装置１において、表示部２１を照明する際に、表示部２１の光源６０の前側に位置する部分は、光源６０が第１の反射部７１ａで覆われるため、光源６０からの直接光によっては照射されない。また、この部分は第３の反射部７１ｃ及び第１の反射部７１ａに反射された照明光、すなわち間接光により照射される。従って、表示部２１全体として輝度のムラを抑制することができる。
【００２７】
また、本実施形態に係る計器装置１においては、第３の反射部７１ｃが駆動軸５１と垂直な面において円弧形状であるため、第３の反射部７１ｃで反射された照明光が放射状に第２の開口部７６から照射される。従って、さらに輝度のムラを抑制することができる。
【００２８】
なお、本発明は、上記の実施形態に限定されず、種々の変形及び応用が可能である。例えば、反射体７１の表面の少なくとも一部に粗面を形成してもよい。これにより、反射光を拡散させ、さらに輝度のムラを抑制することができる。
【００２９】
また、本実施形態に係る第１の反射部７１ａは、駆動軸５１と垂直な平面に沿って延びる薄板形状であるが、第１の反射部７１ａの表面は駆動軸５１と垂直な平面に限定されるものではなく、所定の角度に傾斜させるように設けてもよい。この場合、傾斜面の角度は前面パネル２０に設けられた表示部２１の配置や大きさ等によって適宜設定すればよい。
【符号の説明】
【００３０】
１      計器装置
１０    外ケース
２０    前面パネル
２１（２１ａ〜２１ｆ）  表示部
３０（３０ａ〜３０ｃ）  指針
３１（３１ａ〜３１ｃ）  指示部
３２（３２ａ〜３２ｃ）  カバー
４０    回路基板
４１    軸孔
５０    計器本体
５１    駆動軸
６０    光源
７０    中ケース
７０ａ  照明室
７１    反射体
７１ａ  第１の反射部
７１ｂ  第２の反射部
７１ｃ  第３の反射部
７２    外周壁部
７３    内周壁部
７４ａ、７４ｂ  側壁部
７５    第１の開口部
７６    第２の開口部
７７    第３の開口部
７８    光源周壁部
【図１】
0005407813.tif 000002
【図２】
0005407813.tif 000003
【図３】
0005407813.tif 000004